(57)【要約】【課題】一般視聴者は、ＣＭがいつどのようなＣＭが放送されるのか事前に知らないため、予約をすることができない。番組を見ている途中でＣＭに切り替わった場合、興味のあるＣＭであってもＣＭの最初から録画することができなかった。【解決手段】ＣＭ（コマーシャル）および番組本編の判別を表す識別情報ＩＤが付加されたデジタルテレビ用放送波を受信する受信検出部と、ＣＭと番組本編とを識別する制御部と、ＣＭを一時記録する記録媒体を検知する記録媒体検出部と、記録媒体検出部が記録媒体を検出したときＣＭを一時記録させるためＣＭの有効時間情報を求めＣＭを記録媒体に有効時間情報に基づいた時間分だけ一時記録する制御を行う遅延制御部と、操作キー入力により記録媒体に一時記録されたＣＭを記録媒体から記録する記録部とを備え、放映中の好みのＣＭを始めから録画することができる。【選択図】図１
2009094858.tif 000002
【特許請求の範囲】
【請求項１】
ＣＭ（コマーシャル）および番組本編の判別を表す識別情報ＩＤが付加されたデジタルテレビ用放送波を受信する受信検出部と、前記ＣＭと前記番組本編とを識別する制御部と、前記ＣＭを一時記録する記録媒体を検知する記録媒体検出部と、前記記録媒体検出部が前記記録媒体を検出したとき前記ＣＭを一時記録させるためＣＭの有効時間情報を求め前記ＣＭを前記記録媒体に前記有効時間情報に基づいた時間分だけ一時記録する制御を行う遅延制御部と、操作キー入力により前記記録媒体に一時記録されたＣＭを記録媒体から記録する記録部とを備えたデジタル放送受信記録装置。
【請求項２】
前記記録媒体検出部が前記記録媒体を検出していないとき、前記遅延制御部はＣＭを前記記録媒体に記録させない、請求項１に記載のデジタル放送受信記録装置。
【発明の詳細な説明】
【技術分野】
【０００１】
本発明は、放送波に含まれる識別情報でＣＭを判定し、メモリカード検出によりＣＭデータを遅延させ、ユーザーが希望するＣＭをＣＭ途中からでも録画保存できるデジタル放送受信記録装置に関するものである。
【背景技術】
【０００２】
最近は、興味深いＣＭ（コマーシャル）や企業のシリーズＣＭなどが数多く存在する。デジタルの放送波を受信して、その放送波の内容が、現在、ＣＭであるか番組本編であるかを識別する方法は、すでにある。
【０００３】
その識別するための従来システムは、デジタル放送のＴＳ（Ｔｒａｎｓｐｏｒｔ  Ｓｔｒｅａｍ）信号内に含まれるＰＭＴ（Ｐｒｏｇｒａｍ  Ｍａｐ  Ｔａｂｌｅ）のプログラムループに、現在放送されている番組を識別するための番組ＩＤと、現在放送されている内容が番組本編であるかＣＭであるかの区別を示す内容区分からなる番組識別情報を追加している。
【０００４】
また、従来システムは、その識別情報から番組ＩＤと内容区分とを抽出し、ＰＭＴから得た番組ＩＤが視聴者に録画予約された番組ＩＤと一致する場合、ＣＭの部分は記録を停止し、番組本編になると記録を開始するシステムである（特許文献１参照）。
【０００５】
図５は、特許文献１に記載された従来のデジタル放送受信記録装置のブロック図である。従来のデジタル放送受信記録装置は、ＣＭもしくは番組本編かどうかの判別を表す識別情報ＩＤを含む放送波をアンテナ５１０から受信するデジタル放送受信検出部５１１と、その放送波内のＴＳ信号をデコードする復調器５１２と、現在放送されている内容が番組本編であるかＣＭであるかを示す番組識別ＩＤを判別する中央制御部５１３と内部メモリ５１４を有する制御部５１５と、映像を映し出す表示部５１６と、データを保存する記憶部５１７と、そのデータを再生する再生装置５１８とを備えている。
【０００６】
図６は、特許文献１に記載された従来のデジタル放送受信記録装置の動作を示すフローチャートである。
【０００７】
まず、番組予約リストから予約番組の放送チャンネルを得て、受信検出部１１１により予約番組を含むサービスのＴＳを捕捉する（ステップＳ６００）。そして、復調部１１２によりＰＡＴ（Ｐｒｏｇｒａｍ  Ａｓｓｏｃｉａｔｉｏｎ  Ｔａｂｌｅ）を検出する（Ｓ６０１）。ＰＡＴ内からＰＭＴのＰＩＤ（Ｐｒｏｇｒａｍ  ＩＤ）を得て、復調部１１２にＰＭＴを抽出させ、ＰＭＴ内の番組識別情報（番組ＩＤ、内容区分）を得る（ステップＳ６０２）。
【０００８】
ステップＳ６０２で得られた番組ＩＤと録画予約された番組と一致するかどうかを判断する（ステップＳ６０３）。ステップＳ６０３で得られた番組ＩＤと録画予約された番組と一致した場合は、ＣＭの部分は記録を停止し、番組本編の映像及び音声を記録する（ステップＳ６０４）。ステップＳ６０３で得られた番組ＩＤと録画予約された番組と一致しない場合は、ＰＭＴに変化があれば、復調部１１２に抽出させて番組識別情報を得る（ステップＳ６０５）。
【特許文献１】特開２００２−１４２１８３号公報
【発明の開示】
【発明が解決しようとする課題】
【０００９】
前記従来のデジタル放送受信記録装置では、あらかじめ見たい番組が分かっている場合に予約をするなどして録画を行う方法である。その際、ＣＭをカットすることができるため、本編のみを録画できるという点で有効なシステムである。しかしながら、最近のＣＭは興味深いものも多く、番組本編だけでなく、ＣＭを録画したいという要望もある。さらに、一般視聴者は、ＣＭがいつどのようなＣＭが放送されるのか事前に知らないため、予約をすることができない。番組を見ている途中でＣＭに切り替わった場合、興味のあるＣＭであってもＣＭの最初から録画することができなかった。
【００１０】
つまり、ＣＭに関しては、新聞や雑誌の番組表に録画予約コードなどが掲載されていないため、前もって録画予約をすることができず、さらにＣＭが始まって話題のＣＭや好みのＣＭであったと気づき、ＣＭの最初から録画できないという課題を有していた。
【００１１】
本発明は、前記従来の課題を解決するもので、デジタル放送のＴＳ信号構成と、デジタルＴＶ放送受信装置にメモリカード検出部と遅延制御部があり、ＣＭ中にリモコンキー操作を行うことによって、視聴中のＣＭを最初から録画できるようなデジタルＴＶ放送受信装置システムを提供することを目的とする。
【課題を解決するための手段】
【００１２】
前記従来の課題を解決するために、本発明のデジタル放送受信記録装置は、ＣＭ（コマーシャル）および番組本編の判別を表す識別情報ＩＤが付加されたデジタルテレビ用放送波を受信する受信検出部と、ＣＭと番組本編とを識別する制御部と、ＣＭを一時記録する記録媒体を検知する記録媒体検出部と、記録媒体検出部が記録媒体を検出したときＣＭを一時記録させるためＣＭの有効時間情報を求めＣＭを記録媒体に有効時間情報に基づいた時間分だけ一時記録する制御を行う遅延制御部と、操作キー入力により記録媒体に一時記録されたＣＭを記録媒体から記録する記録部とを備えている。
【００１３】
本構成によって、自分の好みのＣＭを視聴中でも、メモリカードを認識して、ＣＭの映像・画像信号が遅延制御部に入力され、ＣＭ有効時間情報を記録媒体に出力することで、記録媒体内部で一定時間保存される。そのため、ＣＭの放映中であればリモコンキーを入力することで、好みのＣＭを始まりから録画することができる。
【発明の効果】
【００１４】
本発明のデジタルＴＶ放送受信記録装置によれば、ＴＶ視聴中に好みのＣＭだと気づいた時点で、視聴中であってもＣＭの始まりから録画が可能となる。そして、企業シリーズものなどを集めて、オリジナルファイルなどを外部機器と接続することで編集することも可能となる。
【００１５】
さらに、識別情報に俳優や企業などの情報が盛り込めた場合、好きな俳優が出演しているＣＭや企業ＣＭなどのキーワード（名前や企業名）を外部機器で編集し、インターフェース部を介してデジタルＴＶ放送受信記録装置の内部メモリに識別情報ＩＤとして登録することで、その登録ＩＤと入力されるＴＳ信号内の識別情報ＩＤを確認し、一致した場合にＣＭの自動録画および再生が出来るようになる。
【発明を実施するための最良の形態】
【００１６】
以下本発明を実施するための最良の形態について、図面を参照しながら説明する。
【００１７】
（実施の形態１）
本発明の実施の形態１にかかるデジタル放送受信記録装置は、ＴＳパケット内の識別情報ＩＤでＣＭを判定し、メモリカードの認識によってＣＭデータのみをメモリカードへ渡してＣＭの時間分だけ遅延させることで、ＣＭ途中であっても好みのＣＭを始めから録画できる装置である。図１に本発明の実施の形態１におけるデジタル放送受信記録装置システムのブロック図を示す。
【００１８】
デジタル放送受信記録システムは、アンテナ１００、デジタル放送受信記録装置１１０と、メモリカード１３０、デジタル機器１４０から構成される。
【００１９】
本発明のデジタル放送受信記録装置１１０の構成について詳細に説明する。図１のようにデジタル放送受信記録装置１１０は、デジタル受信検出部１１１、復調部１１２、中央制御部１１３と内部メモリ１１４をもった制御部１１５、表示部１１６、メモリカード検出部１１７、遅延制御部１１８、リモコン受光部１１９、記録部１２０、再生部１２１、インターフェース部１２２で構成される。
【００２０】
デジタル受信検出部１１１は、アンテナ１００経由で放送局から送信されるデジタルの放送信号を受信して、番組の内容が含まれるデジタルのＴＳ信号を復調部１１２へ電気信号を出力する。この例として、デジタルチューナーがある。また、デジタル受信検出部１１１は受信したＴＶ信号の情報がデジタルチューナーの必要とするチャンネルや放送波に該当しない場合、チューナーが目的とするチャンネル信号を捕捉することができない状態となる。
【００２１】
また、デジタル放送信号のＴＳ信号について説明する。図２は、本発明の実施の形態１におけるＴＳ信号の構成図である。図２に示すように、ＴＳパケットは、ヘッダとペイロード部で構成される。通常、ヘッダは同期バイト、誤り表示、ユニット開始指示、プライオリティ、ＰＩＤ（Ｐａｃｋｅｔ  ＩＤ）、スクランブル制御、アダプテーションフィールド制御、連続性指標、アダプテーションフィールドで構成される。本発明においては、このヘッダのアダプテーションフィールドに、識別情報ＩＤと有効時間情報を追加している。
【００２２】
復調部１１２は、デジタル受信検出部１１１で捕捉したＴＳ信号のヘッダ内の識別情報ＩＤと有効時間情報、ペイロード内のＰＭＴを検出し、抽出する。そして、制御部１１５の中央制御部１１３へ識別情報ＩＤ、有効時間情報、映像・音声信号の順番に信号を出力する。
【００２３】
制御部１１５は、中央制御部１１３と内部メモリ１１４から構成されたものである。また、この制御部１１５では、復調部１１２からデータ信号が入力されたり、リモコン受光部１１９やメモリカード検出部１１７の制御信号が入力されたりする。そして、入力される識別情報ＩＤにより、番組本編とＣＭの映像・音声信号を遅延制御部１１８と表示部１１６へ出力する。
【００２４】
中央制御部１１３は、復調部１１２から図２に示すような識別情報ＩＤ、有効時間情報、映像・音声信号などが入力される。ＴＳ信号内に含まれるヘッダから番組本編またはＣＭであるかの判定を識別情報ＩＤにて判別する。ＣＭである場合は、その識別情報ＩＤ、有効時間情報を認識して、ＣＭの映像・音声信号を表示部１１６と遅延制御部１１８に出力すると判断する。
【００２５】
そして、メモリカード１３０が挿入されている場合は、メモリカード検出部１１７からの検出信号が入力され、ＣＭの映像・音声信号を遅延制御部１１８、かつ表示部１１６にＣＭの映像・音声信号を出力する。また、メモリカードを検知した時にそのＣＭの映像・音声信号や有効時間情報と共に、遅延させるための遅延制御信号も遅延制御部１１８に出力する。
【００２６】
また、識別情報ＩＤがＣＭでない、つまり、番組本編である場合は、中央制御部１１３は番組本編の映像・音声信号を表示部１１６のみに出力すると判断する。
【００２７】
また、メモリカード１３０が挿入されていない場合は、中央制御部１１３はメモリカード検出部１１７からの検出信号は受信できず、表示部１１６にのみ番組本編とＣＭの映像・音声信号を出力する。
【００２８】
内部メモリ１１４は、中央制御部１１３から送られてくる番組本編やＣＭなどの識別情報ＩＤを保存する。中央制御部１１３の指示により、逆に、内部メモリ１１４から中央制御部１１３へ識別情報ＩＤの送信を行う。
【００２９】
内部メモリ１１４に一時的に保存されたＣＭの識別情報ＩＤと、復調部１１２から入力されてくるＴＳ信号内の次の識別情報ＩＤとが中央制御部１１３により一致しているかの判別がなされる。これにより、内部メモリ１１５に登録されるＣＭ識別情報ＩＤと制御部１１５に入力されるＴＳ信号内のＣＭ識別情報ＩＤと比較することが可能となり、ユーザーの希望に応じたＣＭの自動録画が可能となる。
【００３０】
表示部１１６は、制御部１１５や再生部１２１から番組本編とＣＭの映像・音声信号が入力され、映像・音声信号を画面表示、音声出力する。
【００３１】
メモリカード検出部１１７は、メモリカード１３０が挿入されたことを検知して、メモリカード１３０の認識信号が入力され、制御部１１５に検知したという制御信号を出力する。
【００３２】
遅延制御部１１８は、メモリカード検出部１１７からのカード検知信号を受信した制御部１１５からＣＭの有効時間情報と映像・音声信号と同時に、制御部１１５が作成して出力するＣＭを遅延させる遅延制御信号が入力される。そして、遅延制御装置１１８は、このＣＭを遅延させる遅延制御信号と、識別情報ＩＤやＣＭの有効時間情報・ペイロードの信号をメモリカード１３０へ出力する。つまり、まず遅延制御信号がメモリカード１３０へ送られ、次にＣＭ有効時間情報の制御信号がメモリカード１３０へ送られ、さらにＣＭの映像・音声信号がメモリカード１３０へ出力される。また、リモコン受光部１１９からの録画制御信号もメモリカード１３０へ出力される。
【００３３】
リモコン受光部１１９は、ユーザーが録画ボタンのリモコンキーを入力することによる入力信号が制御部１１５へ録画するための電気信号として出力する。
【００３４】
記録部１２０は、リモコン受光部１１９の入力により、メモリカード１３０に録画制御信号が伝わることで、メモリカード１３０から一時的に遅延されているＣＭの映像・音声信号が入力され、その信号を保存する。また、保存されたＣＭの映像・音声信号を操作キー部１１９の入力信号により再生部１２１へ出力したり、インターフェース部１２２へ出力したりする。記録部１２０は、例としてＨＤＤや揮発性メモリで構成される。
【００３５】
再生部１２１は、制御部１１５からの再生信号が入力された場合、記録部１２０からＣＭの映像・音声信号が入力され、表示部１１６へＣＭの映像・音声信号を出力する。
【００３６】
インターフェース部１２２は、記録部１２０からのＣＭの映像・音声信号が入力され、デジタル機器１４０への出力を行う。或いは、デジタル機器１４０からＣＭの映像・音声信号を入力し、制御部１１５経由で表示部１１６にＣＭの映像・音声信号を送信する。
【００３７】
次に、デジタル機器１４０の構成について説明する。デジタル機器１４０の構成は、デジタル放送受信記録装置１１０と接続されるインターフェース部１４１、制御部１４２、ＣＭの映像・音声信号を格納するＣＭデータ格納部１４３、入力部１４４、表示部１４５で構成されている。
【００３８】
インターフェース部１４１は、デジタル放送受信記録装置１１０のインターフェース部１２２との映像・音声信号の入出力を行う。
【００３９】
制御部１４２は、デジタル放送受信記録装置１１０のインターフェース部１２２からの信号や入力部１４４からの信号を受信し、表示部１４５へ信号を出力する。また、好きな俳優が出演しているＣＭや企業ＣＭなどのキーワードをグループ化など、編集機能も有する。
【００４０】
ＣＭデータ格納部１４３は、デジタル放送受信記録装置１１０の記録部１２０に保存されているＣＭデータがインターフェース部１４１を介して、入力される。その際、デジタル機器１４０内の制御部１４２で編集したデータを格納する。
【００４１】
入力部１４４は、キーボードなどの入力信号を受信し、文字入力などの電気信号を制御部１４２に通知する。
【００４２】
表示部１４５は、制御部１４２から電気信号が入力されると、画面表示をする。例として、ディスプレイがある。
【００４３】
最後に、メモリカード１３０の構成について詳細に説明する。図３は本発明の実施の形態１におけるメモリカードのブロック図である。
【００４４】
図３のようにメモリカード１３０内は、デジタル放送受信記録装置１１０と接続するためのインターフェース部３１１と全体をコントロールする制御部３１３、ＣＭ期間中の録画できる有効時間を制御するためのＣＭ有効時間情報部３１４、そしてある一定時間だけ一時的に保存する記録部３１２で構成される。つまり、ＣＭなどの短い映像信号を有効時間分だけ記録させて、遅延再生可能な手段である。
【００４５】
インターフェース部３１１は、デジタル放送受信記録装置１１０の遅延制御部１１８からＣＭの映像・音声信号とＣＭの有効時間情報、操作キー入力の制御信号が入力され、そのままＣＭの映像・音声信号を記録部３１２へ、ＣＭを保存するための有効時間と録画するためのリモコン受光部１１９からの制御信号を制御部３１３へ出力する。
【００４６】
記録部３１２は、インターフェース部３１１からＣＭの映像・音声信号が入力され、制御部３１３から有効時間情報を受け取り、その有効時間分（遅延時間分）だけ一時的に保存する。
【００４７】
制御部３１３は、インターフェース部３１１からＣＭの有効時間を通知する信号と操作キーの制御信号が入力される。また、キー入力を受信し、有効時間が経過した後、つまり各ＣＭ時間経過後に記録部３１２のＣＭの映像・音声信号をデジタル放送受信記録装置１１０の記録部１２０に制御信号を出力する。
【００４８】
ＣＭ有効時間情報部３１４は、メモリカード１３０をデジタル放送受信記録装置１１０へ挿入時、制御部３１３からＣＭの映像・音声信号を遅延させるためのＣＭ有効時間を通知する信号が入力される。そして、ＣＭ有効時間情報部３１４に保存されたＣＭ有効時間情報をメモリカード１３０内の制御部３１３へ出力し、その時間、記録するように制御部３１３と通信する。
【００４９】
上記のように構成された本発明のシステムの動作について、図４を参照しながら説明する。図４は本発明の実施の形態１におけるデジタル放送受信記録装置の動作を示すフローチャートである。
【００５０】
まず、放送波を受信検出部１１１で受信し、ヘッダとペイロードからなるＴＳ信号を捕捉する（Ｓ４１０）。そして、復調部１１２において、識別情報ＩＤ（番組本編とＣＭを区別するＩＤ）、有効時間情報、映像・音声信号を得る（Ｓ４１１）。
【００５１】
ステップＳ４１１で、ＴＳ信号からＣＭの識別情報ＩＤを認識し、さらにメモリカード１３０が挿入されているかどうかを判断する（Ｓ４１２）。
【００５２】
ステップＳ４１２でメモリカード１３０が挿入されていない場合は、制御部１１５は、番組／ＣＭの映像・音声信号を表示部１１６のみに出力する（Ｓ４１４）。
【００５３】
ステップＳ４１２で特定のメモリカード１３０が挿入されている場合は、番組／ＣＭの映像・音声信号を表示部１１６、かつ、遅延制御部１１８にＣＭの映像・音声信号、遅延制御信号を出力する（Ｓ４１３）。遅延制御部１１８によりＴＳ信号内から有効時間情報を求め、ＣＭの映像・音声信号のみをメモリカード１３０内で有効時間分だけ保存することにより遅延させる（Ｓ４１５）。
【００５４】
そして、ステップＳ４１６において、リモコン受光部１１９の入力がある場合は、メモリカード１３０内に有効時間分だけ保存されたＣＭデータが制御部３１３によってデジタル放送受信記録装置１１０内の記録部１２０に保存される（Ｓ４１７）。またステップＳ４１６において、操作キー１１９入力がない場合は、ステップＳ４１３に戻る。
【００５５】
かかる構成によれば、中央制御部と内部メモリ、メモリカード検出部、遅延制御部、記録部を設けることにより、放送番組内容が本編かＣＭかの区別を識別情報ＩＤによって制御部が認識でき、メモリカードを挿入することによって、あるＣＭを見ている最中にリモコンキーを押すと、そのＣＭの映像・音声信号が遅延される構成となり、ＣＭの始まりから記録部に録画保存することが可能である。
【００５６】
なお、本実施の形態において、ＣＭの映像・音声信号の遅延用の記録をメモリカード１３０としたが、図３の構成を有する記録媒体で、かつ、装置に全体或いは一部分を取り外し可能な記録媒体としてもよい。
【００５７】
また、デジタル機器１４０は、パーソナルコンピューター等、他のデジタル受信機器としても良い。
【００５８】
（実施の形態２）
本発明の実施の形態２にかかるデジタル放送受信記録装置は、図２のＴＳパケットに時刻情報などのように俳優や企業名等の情報が盛り込めた場合、あらかじめ録画したいＣＭのキーワードを内部メモリ１１４に格納しておいて、その録画したいＣＭが入力されると自動的に録画されるデジタル放送受信記録装置１１０である。
【００５９】
まず、外部のデジタル機器１４０内の入力部１４４からユーザーの好みのＣＭキーワード（俳優や企業名等）が制御部１４２に入力され、制御部１４２からインターフェース部１４１、デジタル放送受信記録装置のインターフェース部１２２を介して、キーワードがデジタル放送受信記録装置１１０内の制御部１１５に出力される。そして、内部メモリ１１４にＣＭの内容情報として格納される。
【００６０】
次に、アンテナ１００経由で放送局から送られてくる信号は受信検出部１１１、復調部１１２を通過し、制御部１１５に入力される。その際に、あらかじめユーザーのキーワードから判別した識別情報ＩＤが入力されて一致した場合に自動的に制御部１１５でコントロールし、記録部１２０に録画される。これにより、初めて記録したときのＣＭ識別情報ＩＤを内部メモリに保存して、次回録画の際に、識別情報ＩＤと関連付けて自動録画可能となる。
【産業上の利用可能性】
【００６１】
本発明のデジタル放送受信記録装置及びシステムは、ＣＭを視聴中に好みのＣＭと気づいた場合でもＣＭの始まりから録画が可能になるので、ＣＭを全て録画保存できるＴＶ放送受信記録装置として有用である。
【００６２】
また、企業のＣＭ・広告に様々な工夫が施されるため、いろんな価値のある情報がＣＭに盛り込まれ、広告業界や宣伝などの需要が期待でき、本発明のシステムは有効であると考える。
【図面の簡単な説明】
【００６３】
【図１】本発明の実施の形態１におけるデジタル放送受信記録システムのブロック図
【図２】本発明の実施の形態１におけるＴＳ信号の構成図
【図３】本発明の実施の形態１におけるメモリカードのブロック図
【図４】本発明の実施の形態１におけるデジタル放送受信記録装置の動作を示すフローチャート
【図５】従来のデジタル放送受信記録装置のブロック図
【図６】従来のデジタル放送受信記録装置の動作を示すフローチャート
【符号の説明】
【００６４】
１００    アンテナ
１１０    デジタル放送受信記録装置
１１１    受信検出部
１１２    復調部
１１３    中央制御部
１１４    内部メモリ
１１５    制御部
１１６    表示部
１１７    メモリカード検出部
１１８    遅延制御部
１１９    リモコン受光部
１２０    記録部
１２１    再生部
１２２    インターフェース部
１３０    メモリカード
１４０    デジタル機器
１４１    インターフェース部
１４２    制御装置
１４３    ＣＭデータ格納部
１４４    入力部
１４５    表示部
３１１    インターフェース部
３１２    記録部
３１３    制御部
３１４    ＣＭ有効時間情報部
【図２】
2009094858.tif 000003
【図３】
2009094858.tif 000004
【図４】
2009094858.tif 000005
【図５】
2009094858.tif 000006
【図６】
2009094858.tif 000007
【図１】
2009094858.tif 000008